(57)【要約】【課題】極めて簡単な構造で回転ドアが閉じられる際の円周壁端部に設けられた柱部とドアパネル先端部の挟み込みを回避することができることを課題とする。【解決手段】出入り口１，２を挟んで対向し、且つその端部に柱部7a,7bと 8a,8bを有する円周壁３，４と、対向する円周壁３，４で囲まれた円周の中央に設置された複数枚のドアパネル５，…を放射状に支持した回転軸６からなり、回転軸６の一方向の回転により複数枚のドアパネル５，…を出入り口１，２に通過させて出入り口１，２の開閉を行うようにした自動回転ドアにおいて、ドアパネル５，…先端部にヒンジ壁或いはバネ12の付勢に抗して内部に圧入される圧入壁11を設けたことを特徴とする自動回転ドア。【選択図】 図１
2006009425.tif 000002
【特許請求の範囲】
【請求項１】
出入り口を挟んで対向し、且つその端部に柱部を有する円周壁と、該対向する円周壁で囲まれた円周の中央に設置された複数枚のドアパネルを放射状に支持した回転軸からなり、該回転軸の回転により上記複数枚のドアパネルを上記出入り口に通過させて出入り口の開閉を行うようにした自動回転ドアにおいて、ドアパネル先端部にヒンジ壁或いはバネの付勢に抗して内部に圧入される圧入壁を設けたことを特徴とする自動回転ドア。
【請求項２】
出入り口を挟んで対向し、且つその端部に柱部を有する円周壁と、該対向する円周壁で囲まれた円周の中央に設置された複数枚のドアパネルを放射状に支持した回転軸からなり、該回転軸の回転により上記複数枚のドアパネルを上記出入り口に通過させて出入り口の開閉を行うようにした自動回転ドアにおいて、上記ドアパネルの出入り口退出側の円周壁端部に設けられた柱部にはヒンジ壁を設けたことを特徴とする自動回転ドア。
【発明の詳細な説明】
【技術分野】
【０００１】
この発明は、出入り口を挟んで対向する円周壁の中央に、複数枚のドアパネルを放射状に支持した回転軸を設けた自動回転ドアにおいて、子供等が上記円周壁端部とドアパネル先端部との間に挟み込まれる危険性を回避した自動回転ドアに関するものである。
【背景技術】
【０００２】
高層ビル等においてはビル内の冷暖房の効率化等の理由から出入り口には自動回転ドアが設置される例が多く見受けられるが、その構造は図10,図11に示されるように、出入り口１、２を挟んで対向する円周壁３、４と、対向する円周壁３，４で囲まれた円周の中央に設置された複数枚のドアパネル５，…を放射状に支持した回転軸６からなり、回転軸６の一定方向の回転により複数枚のドアパネル５，…を出入り口１，２に通過させて出入り口１，２の開閉を行うようにしており、ドアパネ５，…の出入り口１の侵入側、退出側に当たる円周壁３，４の端部にはそれぞれ柱部7a,7bが設けられ、ドアパネ５，…の出入り口２の侵入側、退出側に当たる円周壁３，４の端部にはそれぞれ柱部8a,8bが設けられる。
【０００３】
このような構造の自動回転ドアは回転軸６は定速で回転し、例えばドアパネル５と次のドアパネル５により出入り口１が開いているときに、内部に入り、ドアパネル５，５の回転に従って一方の出入り口２より出るが、近時ドアパネル５，５により出入り口１，２が閉められる際に子供等が駆け込んでドアパネル５の先端部とドアパネル５の退出側に当たる円周壁３，４の端部の柱部7b或いは8bの間に子供等が挟まれるという事故が多発している。
【０００４】
これらに対する対策としては、回転ドアの出入り口等にセンサーを設け、回転ドアが閉まる間際に子供等が駆け込む際にはセンサーでこれを検知して回転ドアを停止させる等の処置が採られている（特開2003-247375)。
【特許文献１】特開2003-247375
【発明の開示】
【発明が解決しようとする課題】
【０００５】
しかし、これらセンサーを設けた自動回転ドアにおいては、センサーに死角があり、子供等が駆け込む際に全てセンサーで検知されるとは限らない。
【０００６】
また、センサーが検知してから回転ドアを停止させるまでにタイムラグがあり、迅速に回転ドアを停止させることができない等の欠点がある。
【課題を解決するための手段】
【０００７】
上記実情に鑑み、本願第一発明は出入り口を挟んで対向し、且つその端部に柱部を有する円周壁と、該対向する円周壁で囲まれた円周の中央に設置された複数枚のドアパネルを放射状に支持した回転軸からなり、該回転軸の回転により上記複数枚のドアパネルを上記出入り口に通過させて出入り口の開閉を行うようにした自動回転ドアにおいて、ドアパネル先端部にヒンジ壁或いはバネの付勢に抗して内部に圧入される圧入壁を設けた自動回転ドアを提案するものである。
【０００８】
更に、本願第二発明においては上記自動回転ドアにおいて、上記ドアパネルが出入り口を退出側の円周壁端部に設けられた柱部にはヒンジ壁を設けた自動回転ドアを提案するものである。
【発明の効果】
【０００９】
即ち、本願第一発明においてドアパネル先端部にヒンジ壁を設けた場合には、子供等が閉まる間際の回転ドアに駆け込む際にはヒンジ壁がヒンジ部を介して内側に折り曲げられて円周壁端部の柱部とドアパネル先端部の挟み込みが物理的に回避することができる。
【００１０】
また、本願第一発明においてドアパネル先端部に圧入壁を設けた場合には、圧入壁は常には内部に設けられたバネの付勢によりドアパネル先端部より突出されているが、子供等が閉まる間際の回転ドアに駆け込む際には壁は圧入壁はバネの付勢に抗してドアパネル先端部内に圧入されて円周壁端部の柱部とドアパネル先端部の挟み込みが物理的に回避することができる。
【００１１】
また、この発明では円周壁端部の柱部とドアパネル先端部の挟み込みを回避するために、特に回転ドアを急停止させる必要はない。
【００１２】
なお、ヒンジ壁は本願第二発明のようにドアパネルの出入り口退出側の円周壁端部の柱部に設けても、上記同様に円周壁端部の柱部とドアパネル先端部の挟み込みを物理的に回避することができる。
【００１３】
勿論、本願第一発明のように、ドアパネル先端部にヒンジ壁或いはバネの付勢に抗して内部に圧入される圧入壁を設け、更に本願第二発明のようにドアパネルの出入り口退出側の円周壁端部の柱部にヒンジ壁を設けるようにしてもよい。
【発明を実施するための最良の形態】
【００１４】
出入り口を挟んで対向し、且つその端部に柱部を有する円周壁と、該対向する円周壁で囲まれた円周の中央に設置された複数枚のドアパネルを放射状に支持した回転軸からなり、該回転軸の回転により上記複数枚のドアパネルを上記出入り口に通過させて出入り口の開閉を行うようにした自動回転ドアにおいて、ドアパネル先端部にヒンジ壁或いはバネの付勢に抗して内部に圧入される圧入壁を設けた自動回転ドア。
【実施例１】
【００１５】
以下、この発明を図示の実施例に基づいて詳細に説明すると、１，２は出入り口、３，４は出入り口１，２を挟んで対向する円周壁、６は複数枚のドアパネル５，…を放射状に支持して対向する円周壁３，４で形成される円周の中央に設置された回転軸である。
【００１６】
回転軸６の一定方向の回転により複数枚のドアパネル５，…を出入り口１，２に通過させて出入り口１，２の開閉を行うが、この際ドアパネ５，…の出入り口１の侵入側、退出側に当たる円周壁３，４の端部にはそれぞれ柱部7a,76が設けられ、ドアパネ５，…の出入り口２の侵入側、退出側に当たる円周壁３，４の端部にはそれぞれ柱部8a,8bが設けられる。
【００１７】
図１、２の実施例ではドアパネル５，…の先端部にヒンジ部材９を介してヒンジ壁10が設けられる。
【００１８】
以上の構成において、子供等が閉まる間際の回転ドアに駆け込む際にはヒンジ壁10がヒンジ部材９を介して内側に折り曲げられて円周壁端部に設けられた柱部7b或いは8bとドアパネル５先端部の挟み込みが物理的に回避することができる。
【００１９】
図３、４の実施例ではドアパネル５，…の先端部にバネの付勢に抗して内部に圧入される圧入壁11を設けた実施例である。
【００２０】
この場合圧入壁11は常には内部に設けられたバネ12の付勢によりドアパネル５，…の先端部より突出されているが、子供等が閉まる間際の回転ドアに駆け込む際には圧入壁11はバネ12の付勢に抗してドアパネル５，…の先端部内に圧入されて円周壁端部に設けられた柱部7b或いは8bとドアパネル５先端部の挟み込みが物理的に回避することができる。
【００２１】
図５，６の実施例はドアパネル５，…が出入り口１，２を通過する際にドアパネル５，…の退出側の円周壁端部に設けられた柱部7bと8bにはヒンジ部材９を介してヒンジ壁10を設けた実施例である。
【００２２】
この場合も前記同様に、子供等が閉まる間際の回転ドアに駆け込む際にはヒンジ壁10がヒンジ部材９を介して内側に折り曲げられて円周壁端部に設けられた柱部7b或いは8bとドアパネル５の先端部の挟み込みが物理的に回避することができる。
【００２３】
なお、この実施例ではヒンジ壁10はヒンジ部材９により常には回転軸６の方向に突出するように柱部7b乃至8bに取り付けられているが、ドアパネル５の先端部が長い場合には勿論図７に示すように、常にはヒンジ部材９により円周壁２，２の延長方向に突出させるようにしてもよい。
【００２４】
図８は、ドアパネル先端部にバネの付勢に抗して内部に圧入される圧入壁11を設け、更に円周壁端部の柱部7bと8bにヒンジ壁10を設けた実施例で有る。
【００２５】
この場合、子供等が閉まる間際の回転ドアに駆け込む際圧入壁11はバネ12の付勢に抗してドアパネル５，…の先端部内に圧入され、同時にヒンジ壁10がヒンジ部材９を介して内側に折り曲げられる協同作業におり、円周壁端部の柱部とドアパネル先端部の挟み込みが物理的に回避することができる。
【００２６】
なお、この実施例ではヒンジ壁10はヒンジ部材９により常には回転軸６の方向に突出するように柱部7b乃至8bに取り付けられているが、勿論図９に示すように、常にはヒンジ部材９により円周壁２，２の延長方向に突出させるようにしてもよい。
【産業上の利用可能性】
【００２７】
以上のように、この発明によれば極めて簡単な構造で回転ドアが閉じられる際の円周壁端部に設けられた柱部とドアパネル先端部の挟み込みを回避することができる。
【図面の簡単な説明】
【００２８】
【図１】この発明の一実施例を示す平面図
【図２】同上の実施例におけるドアパネルを示す斜視図
【図３】この発明の他の実施例を示す一部欠切した平面図
【図４】同上の実施例におけるドアパネルを示す斜視図
【図５】この発明の更に他の実施例を示す平面図
【図６】同上の実施例においてドアパネルと柱部との関係を示す斜視図
【図７】この発明の更に他の実施例を示す平面図
【図８】この発明の更に他の実施例を示す平面図
【図９】図８の他の実施態様を示す要部拡大図
【図１０】従来の自動回転ドアを示す斜視図
【図１１】同上の平面図
【符号の説明】
【００２９】
１，２は出入り口
３，４は出入り口を挟んで対向する円周壁
５，…はドアパネル
６は回転軸
7a,7bはドアパネの一方の出入り口の侵入、退出側に設けられた柱部
8a,8bはドアパネルの他方の出入り口の侵入、退出側に設けられた柱部
９はヒンジ部材
10はヒンジ壁
11は圧入壁
12はバネ
【図１】
2006009425.tif 000003
【図２】
2006009425.tif 000004
【図３】
2006009425.tif 000005
【図４】
2006009425.tif 000006
【図５】
2006009425.tif 000007
【図６】
2006009425.tif 000008
【図７】
2006009425.tif 000009
【図８】
2006009425.tif 000010
【図９】
2006009425.tif 000011
【図１０】
2006009425.tif 000012
【図１１】
2006009425.tif 000013